(57)【要約】【課題】各家庭の浴室でも容易に採用することができ、介助者による要介護者の入浴介助（身体清浄作業）が効率的に実施できるシャワー装置を提供する。【解決手段】台座部１にポール部２を直立させ、ポール部１の上部にシャワー部３を設けたものであって、ポール部２が二重管による伸縮自在構造を備え、シャワー部３が、先端にシャワー噴射口３３ａ，３３ｂを設けた左右アーム部３２ａ，３２ｂと、開閉コック３５を付設して、左右アーム部３２ａ，３２ｂの中央部分（中央部３１）に設けたホース連結部３５と、前記両シャワー噴射部３３ａ，３３ｂとホース連結部３５とを接続する分岐配管３６とを備えてなる。【選択図】図１
0003133235.tif 000002
【実用新案登録請求の範囲】
【請求項１】
台座部にポール部を直立させ、ポール部の上部にシャワー部を設けたものであって、ポール部が二重管による伸縮自在構造を備え、シャワー部が、先端にシャワー噴射部を設けた左右アーム部と、開閉コックを付設して、左右アーム部の中央部分に設けたホース連結部と、前記両シャワー噴射部とホース連結部とを接続する分岐配管とを備えてなることを特徴とするシャワー装置。
【請求項２】
各アーム部先端のシャワー噴射部が、ポール部の前方左右に略対面するように、左右アーム部を中央部から湾曲状に形成してなる請求項１記載のシャワー装置。
【請求項３】
ポール部を回動固定自在に設けてなる請求項２記載のシャワー装置。
【請求項４】
内部に分岐配管の分岐部を設けてポール部に固定した中央部に、ホース連結部を連結すると共に、フレキシブルチューブで形成したアーム部を連結してなる請求項１記載のシャワー装置。
【考案の詳細な説明】
【技術分野】
【０００１】
本考案は、主として訪問介護ヘルパー（介助者）による要介護者に対して入浴介助作業に使用して、ヘルパーの負担を軽減するシャワー装置に関するものである。
【背景技術】
【０００２】
要介護者の入浴に際しては、介助者による手助けが必要であるが、各家庭の浴室設備では、手持ちシャワーが一般的で、片手にシャワーを持ち、他方の手で要介護者の身体清浄作業を行なうため、非常に非効率的な作業である。
【０００３】
また車椅子使用の要介護者の入浴手段として、特許文献１（特開２００３−３１０６９４号公報）に示すように、多数のシャワー噴射部を備え、浴室用車椅子に乗ったまま自力で使用できるシャワー装置が提案されている。
【０００４】
また特許文献２（特開２００３−２６５５７５号公報）に開示されているように、自由な場所に配置し、且つ自由な高さでシャワーを使用できるシャワースタンドが提案されている。
【０００５】
【特許文献１】特開２００３−３１０６９４号公報。
【特許文献２】特開２００３−２６５５７５号公報。
【考案の開示】
【考案が解決しようとする課題】
【０００６】
特許文献１記載のシャワー装置は、補助者による被介護者の身体清浄作業を必要としないが、浴室の大きさなどを考慮すると、特殊な専門施設でなければ設置できず、一般の家庭では到底採用できるものではない。
【０００７】
また特許文献２記載のシャワースタンドは、一般的に浴室壁面に設けられているシャワー係止構造（シャワーを嵌め込み固定する部材を縦バーに装着し、上下スライド可能に設けている）は、位置がある程度制限されるのに対して、位置変更が自在である点において便利であるが、座位している要介護者に対して一方向のシャワー憤射となり、身体清浄作業に際してスタンドの位置をこまめに変更する必要がある。
【０００８】
そこで、家庭の浴室でも容易に採用することができ、介助者による要介護者の入浴介助（身体清浄作業）が効率的に実施できるシャワー装置を提案したものである。
【課題を解決するための手段】
【０００９】
本考案（請求項１）に係るシャワー装置は、台座部にポール部を直立させ、ポール部の上部にシャワー部を設けたものであって、ポール部が二重管による伸縮自在構造を備え、シャワー部が、先端にシャワー噴射部を設けた左右アーム部と、開閉コックを付設して、左右アーム部の中央部分に設けたホース連結部と、前記両シャワー噴射部とホース連結部とを接続する分岐配管とを備えてなることを特徴とするものである。
【００１０】
而してホース連結部に温水供給ホース（浴室内のシャワーホース）を連結し、開閉コックを開くと、左右アーム部の先端のシャワー噴射部から温水が噴射されるので、要介護者に対しては、二方向からの温水噴射となり、要介護者の身体に広く温水が降り注がれることになる。従って介助者は、シャワーの噴射方向の変更を行なう必要が少なくなり、要介護者の身体清浄作業の作業能率が高められる。
【００１１】
また要介護者が心臓病などで半身浴が要求される場合でも、要介護者の両肩にシャワーによる温水の掛け流しを行うことによって、身体の冷えを抑えることが出来る。
【００１２】
また本考案（請求項２，３）にかかるシャワー装置は、特に前記シャワー装置において、各アーム部先端のシャワー噴射部が、ポール部の前方左右に略対面するように、左右アーム部を中央部から湾曲状に形成してなり、更にポール部を回動固定自在に設けてなるものである。
【００１３】
従って要介護者が座位姿勢のまま、ポール部の上下位置調整並びに回動調整によって要介護者へのシャワー位置（温水を受ける身体部位）を変更できる。
【００１４】
また本考案（請求項４）に係るシャワー装置は、内部に分岐配管の分岐部を設けてポール部に固定した中央部に、ホース連結部を連結すると共に、フレキシブルチューブで形成したアーム部を連結してなるものである。
【００１５】
従ってアーム部を撓ませることによって、介護者へのシャワー位置（温水を受ける身体部位）を変更できる。
【考案の効果】
【００１６】
本考案のシャワー装置は、シャワー噴射部も二箇所であるから、一般家庭の浴室に設置されているシャワー装置に連結することで充分に効果的なシャワー噴射を得ることができ、訪問介護ヘルパー（介助者）による要介護者の入浴介助作業を効率的に行なうことができる。しかも構造が簡単で、低コストで製造でき、要介護者がいる一般家庭においても十分に使用することができる。
【考案を実施するための最良の形態】
【００１７】
図１，２は第一実施例を示すものである。第一実施例のシャワー装置は、台座部１と、ポール部２と、シャワー部３で構成されている。
【００１８】
台座部１は、直立するポール部２及びシャワー部３が安定する大きさとしたものである。
【００１９】
ポール部２は、二重管構造で、外側管の重合端部に、ネジ締め付けによる固定操作部２１を設けた周知構造で、内外管のスライド伸縮並びに内外管の相対的回動を自在としたものである。
【００２０】
シャワー部３は、ポール部２の上端部分に固定される中央部３１と、前記中央部３１の左右に湾曲状に張り出させた左右のアーム部３２ａ，３２ｂを、中央部３１と一体に形成し、各アーム部３２ａ，３２ｂの先端に、シャワー噴射部３３ａ，３３ｂを、ポール部２の前方左右において略対面するように設けてなる。
【００２１】
シャワー噴射部３３ａ，３３ｂへの温水供給構造は、中央部３１に開閉コック３４を付設したホース連結部３５を設け、中央部３１内に分岐部を内装すると共に、左右のアーム部３２ａ，３２ｂ内に所定の管路を形成し、両シャワー噴射部３３とホース連結部３５とを接続する分岐配管３６を形成するようにしたものである。
【００２２】
而してホース連結部３５に温水供給ホース（浴室内のシャワーホース）Ａを連結し、開閉コック３４を開くと、左右のアーム部３２ａ，３２ｂの先端のシャワー噴射部３３ａ，３３ｂから温水Ｂが噴射されることになる。
【００２３】
従って全ての温水Ｂの噴射を要介護者Ｃに向けられる位置に器具を配置すると、要介護者Ｃの身体に広く温水Ｂが降り注がれることになるので、要介護者Ｃが座位姿勢のまま、介助者Ｄは、要介護者Ｃの身体清浄作業を効率的に行うことができる。
【００２４】
またポール部２の上下位置調整並びに回動調整によって要介護者Ｃへのシャワー位置（温水を受ける身体部位）を簡単に変更でき、清浄部位に対応して噴射方向を調整すればよいもので、特に二方向からの温水噴射であり、且つ広い範囲への噴射となるので前記の位置変更も少なくて良く、この点においても作業能率の向上が図られる。
【００２５】
図３は本考案の第二実施例で、この実施例は、台座部１及びポール部２の構成は第一実施例と同一であり、シャワー部４の構成が相違するものである。
【００２６】
シャワー部４は、ポール部２の上端部分に固定される中央部４１内に、分岐部を備えた分岐配管４６を設け、分岐配管４６の一方に、開閉コック４４を付設したホース連結部４５を接続し、分岐配管４６の他方にフレキシブルチューブ（柔軟で自由自在に曲げることが出来るパイプで、一般的にはステンレス製の薄いパイプに波付加工し、外装にステンレスのワイヤーを編み込んだホース）で形成したアーム部４２ａ，４２ｂを連結接続し、各アーム部４２ａ，４２ｂの各先端に、シャワー噴射部４３ａ，４３ｂを連結接続したものである。
【００２７】
上記第二実施例も第一実施例同様に使用されるもので、特にアーム部４２ａ，４２ｂをフレキシブルチューブで形成しているものであるから、シャワー噴射部４３ａ，４３ｂの位置及び向きの細かな変更は、ポール部２を操作することなく、アーム部４２ａ，４２ｂの撓曲によって任意に且つ容易に実施できる利点がある。
【図面の簡単な説明】
【００２８】
【図１】本考案の第一実施例全体斜視図（一部省略）。
【図２】同使用状態の説明図。
【図３】本考案の第二実施例全体斜視図（一部省略）。
【符号の説明】
【００２９】
１        台座部
２        ポール部
２１      固定操作部
３，４    シャワー部
３１，４１    中央部
３２ａ，３２ｂ，４２ａ，４２ｂ  アーム部
３３ａ，３３ｂ，４３ａ，４３ｂ  シャワー噴射部
３４，４４    開閉コック
３５，４５    ホース連結部
３６，４６    分岐配管
【図１】
0003133235.tif 000003
【図２】
0003133235.tif 000004
【図３】
0003133235.tif 000005